(57)【要約】【課題】基地局装置から受信した基準信号の受信強度に基づき、サブフレームの種別判定を可能にすることにある。【解決手段】１無線フレーム内のサブフレームに対して上り方向と下り方向とを含むサブフレーム種別に応じた無線リソースを時分割で割り当てる時分割無線通信システム（無線通信システム２）に用いられる。前記１無線フレーム内に含まれる各サブフレームに対して、前記サブフレーム種別を区別せずに、基準信号受信強度（ＲＳＲＰ）を測定し（測定部１０）、その測定値に基づいて前記サブフレーム種別を判定する（判定部１２）。【選択図】図１
2013038506.tif 000002
【特許請求の範囲】
【請求項１】
１無線フレーム内のサブフレームに対して上り方向と下り方向とを含むサブフレーム種別に応じた無線リソースを時分割で割り当てる時分割無線通信システムにおける移動局装置であって、
前記１無線フレーム内に含まれる各サブフレームに対して、前記サブフレーム種別を区別せずに、基準信号受信強度（ＲＳＲＰ）を測定する、測定部と、
前記測定値に基づいて前記サブフレーム種別を判定する、判定部と、
を備えることを特徴とする移動局装置。
【請求項２】
前記判定されたサブフレーム種別が下り方向を示すサブフレームを用いてパスサーチを実行する、タイミング検出部
を備えることを特徴とする請求項１に記載の移動局装置。
【請求項３】
前記判定されたサブフレーム種別が下り方向を示すサブフレームを用いてレベル測定を実行する、レベル測定部
を備えることを特徴とする請求項１又は２に記載の移動局装置。
【請求項４】
前記タイミング検出部は、前記対応する基地局装置からのＳＩＢ（System Information Block ）情報の受信が完了していない場合に、前記判定部により下り方向のサブフレーム種別として判定されたサブフレームを用いたパスサーチを実行する
ことを特徴とする請求項２に記載の移動局装置。
【請求項５】
前記タイミング検出部は、前記対応する基地局装置からのＳＩＢ（System Information Block ）情報の受信が完了していない場合に、前記判定部により下り方向のサブフレーム種別として判定されたサブフレームを用いたレベル測定を実行する
ことを特徴とする請求項２に記載の移動局装置。
【請求項６】
１無線フレーム内のサブフレームに対して上り方向と下り方向とを含むサブフレーム種別に応じた無線リソースを時分割で割り当てる時分割無線通信システムにおける移動局装置に搭載されたコンピュータに実行させるための制御プログラムであって、
前記１無線フレーム内に含まれる各サブフレームに対して、前記サブフレーム種別を区別せずに、基準信号受信強度（ＲＳＲＰ）を測定し、
前記測定値に基づいて前記サブフレーム種別を判定する
機能を前記コンピュータに実現させるための制御プログラム。
【請求項７】
前記判定されたサブフレーム種別が下り方向を示すサブフレームを用いてパスサーチ及び、レベル測定を実行する
機能を前記コンピュータに実現させるための請求項６に記載の制御プログラム。
【請求項８】
前記対応する基地局装置からのＳＩＢ（System Information Block ）情報の受信が完了していない場合に、前記判定により下り方向のサブフレーム種別として判定されたサブフレームを用いたパスサーチ及び、レベル測定を実行する
機能を前記コンピュータに実現させるための請求項６に記載の制御プログラム。
【発明の詳細な説明】
【技術分野】
【０００１】
本発明は、ＴＤ−ＬＴＥ方式を用いた移動通信システムの移動局装置およびその制御プログラムに関し、たとえば、フレームマッピングが不明であっても、サブフレーム種別を判定する移動局装置およびその制御プログラムに関する。
【背景技術】
【０００２】
移動通信システムではＴＤ−ＬＴＥ(Time Division Duplex-Long Term Evolution ：時分割複信方式−ＬＴＥ）方式が知られている。このＴＤ−ＬＴＥ方式は、１無線フレーム内のサブフレームに対してアップリンク（上り方向）とダウンリンク（下り方向）とを含むサブフレーム種別に応じた無線リソースを時分割で割り当てる無線通信システムである。このＴＤ−ＬＴＥ方式は、ＴＤＤ（Time Division Duplex：時分割デュプレックス）方式を採用したＬＴＥ（Long Term Evolution ）システムである。ＴＤＤは、基地局装置と移動局装置との間のアップリンクとダウンリンクの通信を短い時間ごとに区切ることにより、見せかけ上の双方向通信を行う技術である。この通信にはアップリンクとダウンリンクに同じ周波数が使用されているので、周波数帯域を効率的に使うことができる。
【０００３】
そして、移動局装置では周辺セルに対する受信品質の測定処理（メジャーメント：Measurement ）が行われる。この測定処理は、セルサーチにより予め複数の周辺セルの検出を行う。検出された周辺セルのフレームタイミングを基準に、測定対象セルに対してパスサーチを行なう。パスサーチの結果を反映した無線フレームタイミングを基準に測定対象セルのＤＬ−ＲＳ（Downlink-Reference Signal ：ダウンリンク基準信号）の位置を認識することにより、レベル測定が行われる。
【０００４】
このような測定処理に関し、特許文献１には、ユニキャスト（Unicast ）の場合にはサブフレームの全ての参照信号（ＲＳ）を用いること、ＭＢＳＦＮ（MBMS(Multimedia Broadcast Multicast Service) Single Frequency Network：単一周波数ネットワーク）の場合には先頭サブフレームの参照信号のみを用いることが記載されている。
【０００５】
セルサーチに関し、特許文献２には、基地局装置がフレーム分割したサブフレームに固有の基準信号（ＲＳ）を配置し、移動局装置はそのサブフレームのＲＳの割当て位置に基づき時間区間制御情報を取得することが記載されている。
【０００６】
受信信号処理に関し、特許文献３には、複数の無線方式のフレーム構成に対応するサブフレームを示す識別子を送信し、この識別子を受信した移動局装置はその識別子に対応した無線リソースを記憶部から読出し、受信信号処理を行うことが記載されている。
【０００７】
ＴＤＤとＯＦＤＭを用いる移動通信システムに関し、特許文献４には、基準信号の相関により、無線フレームの開始位置を判断する処理が記載されている。
【先行技術文献】
【特許文献】
【０００８】
【特許文献１】特開２０１０−１９９７５５号公報
【特許文献２】特開２００８−２８３５２８号公報
【特許文献３】特開２０１０−２０６２８５号公報
【特許文献４】特表２００８−５０７１９２号公報
【発明の概要】
【発明が解決しようとする課題】
【０００９】
ところで、ＴＤ−ＬＴＥ方式では同一周波数においてアップリンク用とダウンリンク用の無線リソースを１無線フレーム内の１０サブフレームに対し、サブフレーム単位で時分割に個別にマッピングし、７種類のマッピングパタンを持っている。このマッピングパタンは、ダウンリンクチャネルのＢＣＨに含まれるシステム・インフォメーション・ブロック（System Information Block）情報（以下、「ＳＩＢ情報」と称する）により基地局装置から移動局装置へ通知される。このＳＩＢ情報の通知を受けた移動局装置は、ＳＩＢ情報内のUplink-downlink configurations No.情報を取得することにより、１無線フレーム内のアップリンク／ダウンリンク・サブフレームのマッピング位置を認識し、ダウンリンク・サブフレームに対してデータ受信処理を実施する。また、このマッピング情報は同周波数帯にて送受信する周辺セルにおいても同期しており、同じパタンが用いられている。
【００１０】
アップリンク−ダウンリンク・コンフィグレーション（Uplink-downlink configurations）について、図１５を参照する。図１５のＡは、Uplink-downlink configurations No.情報と１無線フレーム内のアップリンク／ダウンリンク・サブフレームのマッピングパタンの対応を示している。
【００１１】
このマッピングパタンにおいて、‘Ｄ’はダウンリンクサブフレーム、‘Ｕ’はアップリンクサブフレームを示す。また、‘Ｓ’は、ＤｗＰＴＳ（Downlink Pilot Time Slot）、ＧＰ（Guard Period）およびＵｐＰＴＳ（Uplink Pilot Time Slot）を含むスペシャルサブフレームを示す。
【００１２】
サブフレーム‘０’、‘５’、‘６’に配置されているダウンリンクサブフレームＤは、Unicast 専用のサブフレームである。サブフレーム‘０’、‘５’では、全てのパタンにダウンリンクサブフレームＤが共通にマッピングされている。
【００１３】
サブフレーム‘１’に配置されているスペシャルサブフレームＳは、全てのパタンに共通にマッピングされている。
【００１４】
サブフレーム‘２’に配置されているアップリンクサブフレームＵは、全てのパタンに共通にマッピングされている。
【００１５】
サブフレーム‘６’では、スペシャルサブフレームＳまたはダウンリンクサブフレームＤのいずれかのサブフレームがマッピングされている。
【００１６】
サブフレーム‘３’、‘４’、‘７’、‘８’、‘９’には、‘Ｄ’あるいは‘Ｕ’のいずれかのサブフレームがマッピングされている。
【００１７】
サブフレーム‘３’、‘４’、‘７’、‘８’、‘９’に配置されたダウンリンクサブフレームＤは、Unicast 用または、ＭＢＳＦＮ（Multimedia Broadcast multicast service Single Frequency Network ：単一周波数ネットワーク）用のいずれかのサブフレームが割り当てられている。移動局装置はＳＩＢ情報を取得することにより、ＭＢＳＦＮサブフレームの割当情報を認識する。
【００１８】
ＢＣＨは、サブフレーム‘０’にマッピングされている。図１５のＡに示すように、サブフレーム‘０’は、７種類のマッピングパタンで共通にダウンリンクサブフレームＤが割り当てられている。これにより、セルサーチにより検出したフレームタイミングに基づいてサブフレーム‘０’の位置を判断すれば、ＳＩＢ情報の取得前の状態でもＢＣＨの受信が可能である。図１５のＢは、無線フレームの編成内容を示している。
【００１９】
移動局装置では既述のとおり、周辺セルに対する受信品質の測定処理のため、予めセルサーチにより複数の周辺セルの検出を行い、周辺セルのフレームタイミングを基準に、測定対象セルに対してパスサーチを行う。その結果を反映した無線フレームタイミングを基準に測定対象セルのＤＬ−ＲＳ（Downlink-Reference Signal ：ダウンリンク基準信号）の位置を認識し、レベル測定を行う。この基準信号であるＤＬ−ＲＳは、以下、「ＲＳシンボル」と称する。
【００２０】
この移動局装置はたとえば、図１６に示す構成を備えている。図１６は移動局装置のフロントエンドを示している。この移動局装置２００のフロントエンド２０２には、無線部２０４、復調部２０６およびベースバンド部２０８が備えられている。無線部２０４は基地局装置から無線信号をアンテナ２１０により受信する。復調部２０６は無線信号から受信データを復調する。ベースバンド部２０８はセルサーチ部２１２および測定処理部２１４を備え、復調後の受信データからセルサーチ部２１２で周辺セルの検出を行う。測定処理部２１４には、タイミング検出部（パスサーチ処理）２１６およびレベル測定部２１８が備えられている。タイミング検出部２１６では、セルサーチ部２１２で得られた周辺セルの検出情報（セルＩＤ、フレームタイミング）に基づき、各検出セル毎にパスサーチ処理（最適なフレームタイミング位置の検出）が行われる。これにより、セルサーチで得られたフレームタイミングに対し、パスサーチ結果を反映した最適なフレームタイミングが得られる。レベル測定部２１８では、セルサーチで得たフレームタイミングを基準にＲＳシンボルの位置が認識され、該当セルの受信品質測定〔例えば、ＲＳＳＩ（Received Signal Strength Indication:受信信号強度）など〕が行われる。
【００２１】
このように、測定処理部２１４のパスサーチおよびレベル測定では、ダウンリンクサブフレーム、スペシャルサブフレーム内にマッピングされているＲＳシンボルが使用されている。なお、アップリンクサブフレームにはＲＳシンボルはマッピングされていない。ＲＳシンボルにはＲＳパタンがマッピングされている。このＲＳパタンは、予めに決められたセル毎に系列が異なるユニークなパタンであるとともに、１シンボル内で完結するパタンでもある。
【００２２】
＜パスサーチ処理＞
【００２３】
セルＩＤはセルサーチ結果より測定対象セルを特定するための情報であり、既知の情報である。移動局装置２００では、このセルＩＤより生成したＲＳ（基準信号）のレプリカと、基地局装置より受信したＩＱデータとの相関演算を行う。この相関演算では、１スロット内で得られる２個の演算結果を電圧加算し、更に、複数スロット区間に亘って電力平均処理を行う。この場合、１スロット内で得られる演算結果の個数は、サブフレームタイプにより異なる。Unicast のダウンリンクサブフレームの場合には、１サブフレーム内の前半スロットで２個、後半スロットで２個のＲＳシンボルがマッピングされている。このため、前半スロットおよび後半スロットのそれぞれで２個の演算結果が得られる。
【００２４】
この相関演算結果に基づき、移動局装置２００では電力値が最大となるピークタイミングを検出する。このピークタイミングは無線フレームタイミング値に換算される。この無線フレームタイミング値と検出開始時点の旧無線フレームタイミングとの差分を算出する。旧無線フレームタイミングを無線フレームタイミング換算値への時間方向へある決まった時間量分だけ追従させることにより、パス追従後の新しい無線フレームタイミングが得られる。
【００２５】
この相関演算では、旧無線フレームタイミングに基づいて求められるＲＳシンボルのＦＦＴ（Fast Fourier Transform）開始タイミングを中心にした特定区間のウインドウを設け、その区間内の相関演算結果に基づき、ピークタイミングを判定するのが一般的である。
【００２６】
＜レベル測定処理＞
【００２７】
受信品質の測定では、一般的にＲＳシンボルが用いられ、ある測定精度を満たすのに必要なＲＳシンボルの数が確保できる時間を測定区間と定義することにより、測定対象セルのＲＳシンボルを測定対象としている。たとえば、ＲＳＳＩ（Received Signal Strength Indication:受信信号強度）などが一例である。このＲＳＳＩ測定は、測定区間内に存在するＲＳシンボルに対してＦＦＴ処理したサブキャリア信号からシンボル毎のＩＱ電力値を算出し、更に測定区間に亘って平均値を算出する。また、測定精度を上げるため、測定対象セルに対して最初に既述のパスサーチ処理を実施し、その結果が反映された無線フレームタイミングを基準とする受信データを測定対象とするのが一般的である。
【００２８】
各種サブフレームのＲＳマッピングについて図１７を参照する。図１７のＡはＲＳシンボル、図１７のＢ、ＣおよびＤはＲＳシンボルのマッピングを示している。
【００２９】
ダウンリンクサブフレーム（Unicast ）には、図１７のＢに示すように、前半スロットおよび後半スロットのそれぞれに２個のＲＳシンボルがマッピングされている。これに対し、ダウンリンクサブフレーム（MBSFN ）には、図１７のＣに示すように、１個のＲＳシンボルのみが前半スロットの先頭シンボルにマッピングされており、後半スロットにはＲＳシンボルがマッピングされていない。
【００３０】
スペシャルサブフレームのＲＳシンボルのマッピングは不規則であり、図１７のＤはその一例である。前半スロットの先頭シンボルにのみ１個のＲＳシンボルがマッピングされている場合と、前半スロットにのみ２個のＲＳシンボルがマッピングされている場合がある。また、前半スロットに２個のＲＳシンボルがマッピングされ、後半スロットの先頭シンボルにのみ１個のＲＳシンボルがマッピングされている場合がある。前半スロットおよび後半スロットに２個のＲＳシンボルがマッピングされている場合がある。
【００３１】
スペシャルサブフレームには複数のタイプが存在し、タイプにより、ＲＳシンボルのマッピング数は既述のいずれかとなる。移動局装置２００は、ＳＩＢ情報の取得によりスペシャルサブフレームの割当情報を認識する。
【００３２】
ＳＩＢ情報を受信していない場合（未受信）は、Unicast Uplink-downlink configurations No.情報未知、現在受信中の無線フレーム内のフレームパタンが不明である。この場合、処理に限界がある。つまり、全Uplink-downlink configurationsパタンで共通するダウンリンクサブフレームや、スペシャルサブフレームのサブフレーム‘０’、‘１’、‘５’、‘６’を用いたパスサーチ処理及び、レベル測定処理しかできない。
【００３３】
ＳＩＢ情報の未受信状態での測定処理に使用可能なＲＳシンボルについて図１８のＡ、Ｂを参照する。図１８のＡ、Ｂは、ＳＩＢ情報の未受信状態における受信フレームデータに対する測定処理に使用可能なＲＳシンボル数の例を示す。
【００３４】
図１８のＡの例では、基地局装置がUplink-downlink configurations No.＝５のフレームパタンでデータを送信している状態である。この場合、１無線フレーム内でパスサーチに使用可能な２９個のＲＳがマッピングされている。これに対し、移動局装置は、図１８のＢに示すように、ＳＩＢ情報の未受信状態である。つまり、移動局装置では、Uplink-downlink configurations No.が不明である。ＲＳシンボルを用いて測定処理を行うには、全フレームパタンでダウンリンクサブフレーム位置が共通となるUplink-downlink configurations No.＝０のパタン相当で動作することしかできない。この場合、サブフレーム‘２’、‘３’、‘４’、‘７’、‘８’、‘９’ではサブフレームタイプを未知とした動作しかできない。
【００３５】
さらに、サブフレーム‘１’、‘６’のスペシャルサブフレームではスペシャルサブフレームのタイプが未知である。このため、使用できるＲＳシンボルは、スペシャルサブフレームの全タイプで、ＲＳシンボルがマッピングされている前半スロットの先頭シンボルのみとなる。
【００３６】
サブフレーム‘６’では、Unicast Uplink-downlink configurations No.＝５のフレームパタンでダウンリンクサブフレーム（Unicast ）である。この場合、Uplink-downlink configurations No.＝０で動作するため、サブフレーム‘１’と同様にスペシャルサブフレームとして処理することになる。
【００３７】
ＳＩＢ情報が既知の場合には、測定処理（パスサーチ、レベル測定）に使用可能なＲＳシンボル数＝２９個が１無線フレーム区間で確保できる。これに対し、ＳＩＢ情報が未知の場合には、サブフレーム‘２’、‘３’、‘４’、‘７’、‘８’、‘９’はサブフレームタイプが未知となる。このため、測定処理に使用可能なＲＳシンボルは、サブフレーム‘０’、‘１’、‘５’、‘６’にマッピングされる１０個のＲＳシンボルに限られることになる。
【００３８】
このように、ＳＩＢが既知の場合には１無線フレーム内：６サブフレーム区間で必要なＲＳシンボルは確保できる。これに対し、ＳＩＢ情報が未知の場合には１無線フレーム内で使用可能なＲＳ数が１０個である。測定処理の特性スペックを満たすために必要なＲＳシンボル数が２０個（パスサーチで８個、レベル測定で１２個）であれば、このＲＳシンボル数を確保するには２無線フレーム区間が必要となる。
【００３９】
このＴＤ−ＬＴＥについて、測定処理に要する測定時間について図１９を参照する。この図１９は測定処理に要する測定時間例である。図１９のＡは基地局装置の動作、図１９のＢは移動局装置の動作を示している。図１９のＣはサブフレーム‘０’−‘９’区間を縮小して示した基地局装置側の動作、図１９のＤはサブフレーム‘０’−‘９’区間を縮小して示した移動局装置側の動作を示している。ここで、測定時間とは、測定に必要なＲＳシンボルを確保するために必要な時間である。この例では、測定処理の特性スペックを満たすための条件として、１回のパスサーチに８個、１回のレベル測定に１２個の合計２０個のＲＳシンボルを必要とする場合を想定している。この例は、一度の測定処理において、３個の周辺セルに対する測定処理を実施した場合に要する測定時間を表している。そして、図１９に示すUnicast Uplink-downlink configurations No.＝５の情報が既知または未知の場合について、測定処理に要する測定時間を比較している。
【００４０】
ＳＩＢ（System Information Block）情報が未知である場合には、図１９に例示するように、３セルの周辺セルに対する測定処理に要する時間は約６無線フレームである。このため、ＳＩＢ情報が未知である場合にはＳＩＢ情報が既知である場合に比較し、測定処理に要する時間は約４無線フレーム分だけ長くなる。
【００４１】
このようにＴＤ−ＬＴＥでは、ＳＩＢ情報が未知か既知により測定処理に要する処理時間が異なり、ＳＩＢ情報が未知の場合には既知の場合に比較して無駄な時間が大きくなってしまうという課題がある。
【００４２】
そこで、本開示の移動局装置およびその制御プログラムは、基地局装置から受信した基準信号の受信強度に基づき、サブフレームの種別判定を可能にすることにある。
【課題を解決するための手段】
【００４３】
上記目的を達成するため、本開示の移動局装置またはその制御プログラムは、１無線フレーム内のサブフレームに対して上り方向と下り方向とを含むサブフレーム種別に応じた無線リソースを時分割で割り当てる時分割無線通信システムに用いられる。前記１無線フレーム内に含まれる各サブフレームに対して、前記サブフレーム種別を区別せずに、基準信号受信強度（ＲＳＲＰ）を測定し、その測定値に基づいて前記サブフレーム種別を判定する。
【発明の効果】
【００４４】
本開示の移動局装置またはその制御プログラムによれば、次のいずれかの効果が得られる。
【００４５】
(1) ＳＩＢ情報が未知であっても、１無線フレームに含まれる各サブフレームに対して基準信号強度（ＲＳＲＰ）を測定し、該測定値に基づいてサブフレーム種別を判定することができる。
【００４６】
(2) ＳＩＢ情報が既知の場合と同様に無線フレームのサブフレームパタンに応じた受信信号強度の測定処理を行うことができ、周辺セルの測定処理に要する時間を短縮することができる。
【００４７】
(3) 処理時間の短縮により、消費電力を削減できる。
【００４８】
そして、本発明の他の目的、特徴及び利点は、添付図面及び各実施の形態を参照することにより、一層明確になるであろう。
【図面の簡単な説明】
【００４９】
【図１】第１の実施の形態に係る移動局装置を示す図である。
【図２】制御プログラムの処理手順の一例を示すフローチャートである。
【図３】第２の実施の形態に係る移動局装置を示す図である。
【図４】移動局装置のハードウェアの一例を示す図である。
【図５】ＲＳＲＰの算出例を示す図である。
【図６】フレーム判定閾値テーブルの一例を示す図である。
【図７】フレームパタンの判定を示すフローチャートである。
【図８】フレームパタン判定の処理手順を示すフローチャートである。
【図９】フレームパタン判定テーブルの一例を示す図である。
【図１０】ダウンリンクサブフレーム判定の処理手順の一例を示すフローチャートである。
【図１１】ダウンリンクサブフレーム判定の処理手順の一例を示すフローチャートである。
【図１２】第３の実施の形態に係るフレームパタンの他の判定を示すフローチャートである。
【図１３】フレームパタン判定の処理手順を示すフローチャートである。
【図１４】フレームパタン判定テーブルの他の例を示す図である。
【図１５】Uplink-downlink configurations No.情報、無線フレーム内のサブフレームパタンを示す図である。
【図１６】移動局装置のフロントエンドの構成を示す図である。
【図１７】ＲＳマッピングを示す図である。
【図１８】ＳＩＢ未受信状態の場合の測定処理に使用可能なＲＳシンボルを示す図である。
【図１９】測定処理に要する時間を示す図である。
【発明を実施するための形態】
【００５０】
〔第１の実施の形態〕
【００５１】
図１は、第１の実施の形態に係る無線通信システムを示している。図１に示す構成は一例であり、斯かる構成に本開示の移動局装置およびその制御プログラムが限定されるものではない。
【００５２】
図１に示す無線通信システム２は、１無線フレーム内のサブフレームに対して上り方向（アップリンク）と下り方向（ダウンリンク）とを含むサブフレーム種別に応じた無線リソースを時分割で割り当てる時分割無線通信システムである。この無線通信システム２は一例として少なくとも１つの移動局装置４と、複数の基地局装置６ａ、６ｂ・・・とが備えられ、無線により通信を行う。これら移動局装置４および基地局装置６間の通信において、上り方向は移動局装置４から基地局装置６への通信、下り方向は基地局装置６から移動局装置４への通信を表す。
【００５３】
移動局装置４には無線部８と、測定部１０と、判定部１２が備えられている。無線部８はアンテナ１４を備え、無線により基地局装置６と通信を行い、データの送受を行う。測定部１０は１無線フレーム内に含まれる各サブフレームに対して、サブフレーム種別を区別せずに、基準信号受信強度〔ＲＳＲＰ（Reference Signal Received Power ）〕を測定する。また、判定部１２は、測定部１０の測定値に基づいてサブフレーム種別を判定し、その判定結果を出力する。
【００５４】
図２は、移動局装置４側の通信処理の一例を示している。この処理手順は、本開示の移動局装置の制御プログラムの一例である。
【００５５】
この処置手順では、移動局装置４が１無線フレームを受信する（Ｓ１１）。受信した１無線フレーム内に含まれる各サブフレームに対してサブフレーム種別を区別せずに、基準信号受信強度（ＲＳＲＰ）を測定する（Ｓ１２）。
【００５６】
ＲＳＲＰの測定値に基づいてサブフレーム種別を判定し（Ｓ１３）、その判定結果を出力する。
【００５７】
斯かる構成では、ＳＩＢ（System Information Block）情報が未知であっても、１無線フレームの受信により、１無線フレームに含まれる各サブフレームに対して基準信号強度（ＲＳＲＰ）を測定し、該測定値に基づいてサブフレーム種別を判定できる。
【００５８】
このため、ＳＩＢ情報が既知の場合と同様に無線フレームのサブフレームパタンに応じた受信信号強度の測定処理を行うことができ、周辺セルの測定処理に要する時間を短縮できる。これにより、消費電力を削減できる。
【００５９】
〔第２の実施の形態〕
【００６０】
図３は、第２の実施の形態に係る移動局装置を示している。図３に示す構成は一例であり、斯かる構成に本開示の移動局装置およびその制御プログラムが限定されるものではない。図３において、図１と同一部分には同一符号を付してある。
【００６１】
図３に示す移動局装置４は、フロントエンド１６に無線部８、復調部１８およびベースバンド部２０を備えている。無線部８は、図示しない基地局装置から送信された無線信号をアンテナ１４により受信する。復調部１８は無線部８で受信した無線信号からデータを復調する。
【００６２】
ベースバンド部２０はセルサーチ部２２、フレーム判定部２４および測定処理部２６を備えている。セルサーチ部２２は復調後の受信データから周辺セルの検出を行う。
【００６３】
フレーム判定部２４はサブフレーム種別を判定する判定部であり、このフレーム判定部２４には一例として、ＲＳＲＰ測定部２８、記憶部３０、ＲＳ数判定部３２、判定処理部３４が備えられている。
【００６４】
ＲＳＲＰ測定部２８は、１無線フレーム内に含まれる各サブフレームに対して、サブフレーム種別を区別せずに基準信号受信強度（ＲＳＲＰ）を測定する。このＲＳＲＰ測定部２８では、セルサーチ部２２で得られたセルＩＤ、フレームタイミングに基づき、受信データの各サブフレーム内のＲＳシンボルが配置される位置のシンボルに対して、サブフレームタイプ（ダウンリンク、アップリンク、スペシャル）を区別することなく、ＲＳＲＰを算出（測定）する。
【００６５】
記憶部３０は、ＲＳＲＰ測定部２８の測定結果を記憶する。ＲＳＲＰ測定部２８の測定結果は記憶部３０に格納されて保存される。
【００６６】
ＲＳ数判定部３２は、既述の測定結果を用いて、各サブフレーム内の存在するＲＳシンボル数を判定する。このＲＳ数判定部３２には判定閾値テーブル３６が備えられ、この判定閾値テーブル３６に格納されている判定閾値により、各サブフレーム内のＲＳ数を判定する。判定閾値テーブル３６に格納された判定閾値は、ＲＳＲＰ測定結果により決定された値である。
【００６７】
判定処理部３４は、ＲＳ数判定部３２からＲＳ数判定結果３８を受け、このＲＳ数判定結果３８を用いることによりサブフレーム種別を判定する。つまり、フレームパタン（Uplink-downlink configurations No.）が判定される。サブフレーム種別の判定に用いられるＲＳ数判定結果３８は、各サブフレームのＲＳシンボル数の判定結果である。
【００６８】
測定処理部２６には、タイミング検出部（パスサーチ処理）４０およびレベル測定部４２が備えられている。
【００６９】
タイミング検出部４０は判定されたサブフレーム種別が下り方向を示すサブフレームを用いてパスサーチを実行する。より詳細に述べれば、対応する基地局装置からのＳＩＢ（System Information Block ）情報の受信が完了していない場合に、判定処理部３４により下り方向のサブフレーム種別として判定されたサブフレームを用いたパスサーチを実行する。
【００７０】
レベル測定部４２は、セルサーチで得たフレームタイミングを基準にＲＳシンボル（基準信号）の位置を認識し、フレーム判定部２４のフレーム判定結果を表す情報（すなわち、フレーム判定情報）に基づき、該当セルの受信品質を測定する（例えば、ＲＳＳＩなど）。
【００７１】
次に、図４は、フレーム判定部２４のハードウェアを示している。係る構成は一例であって、係る構成に本開示の移動局装置およびその制御プログラムが限定されるものではない。
【００７２】
フレーム判定部２４はコンピュータの一例であるマイクロプロセッサが用いられている。このフレーム判定部２４はベースバンド部２０に搭載されるコンピュータで構成してもよい。
【００７３】
図４に示すフレーム判定部２４のハードウェアでは、プロセッサ４４、ＲＯＭ（Read-Only Memory）４６およびＲＡＭ（Random-Access Memory）４８を備えている。これらプロセッサ４４、ＲＯＭ４６およびＲＡＭ４８はバス５０で接続されている。
【００７４】
プロセッサ４４は、ＲＯＭ４６に格納されている制御プログラムを実行し、既述のＲＳＲＰ測定部２８とＲＳ数判定部３２および判定処理部３４として機能する。ＲＯＭ４６には本開示の制御プログラムなど、各種のプログラムや、演算に用いるデータ、判定閾値テーブル３６等が格納されている。ＲＡＭ４８には既述したＲＳ数判定部３２の判定結果などのデータが格納される。
【００７５】
このフレーム判定部２４では、ＳＩＢ情報が未知の状態において、現在受信中のフレームデータに対して受信フレームの全サブフレームをサブフレームタイプを区別することなく、各サブフレーム内のＲＳシンボル位置に相当するシンボルのＲＳＲＰ（ＲＳシンボルの受信電力値）を算出する。この算出結果を用いることにより、フレームパタンを判定（予測）する。つまり、Uplink-downlink configurations No.を判定（予測）する。この判定結果で得たフレームパタンに基づき、サブフレーム‘０’、‘５’以外のダウンリンクサブフレームの位置を認識し、サブフレームタイプがUnicast であるか、ＭＢＳＦＮであるかを判断する。スペシャルサブフレーム位置については、フレームパタンによりマッピングが決まっているため、フレームパタンの判定結果を得た時点で確定する。この判断結果を測定処理に適用し、ＳＩＢ情報が既知の状態と同等の測定処理が可能となり、測定の処理時間を短縮化している。以下、各処理を説明する。
【００７６】
＜ＲＳＲＰの算出＞
【００７７】
ＳＩＢ情報が未知の状態において、ＲＳＲＰを算出する。現在受信中のフレームデータのUplink-downlink configurations No.＝１（サブフレーム‘４’はUnicast 、サブフレーム‘９’はＭＢＳＦＮがマッピングされている）の場合を想定する。この場合、受信フレームタイプを区別することなく各サブフレーム内のＲＳシンボル位置に相当するシンボルのＲＳＲＰを算出する。
【００７８】
図５はＲＳシンボル位置のシンボルについてＲＳＲＰを算出した例を示している。Ａは基地局装置のUplink-downlink configurations No.＝１の状態、Ｂは移動局装置で全てダウンリンクサブフレームとしてＲＳＲＰを算出した例である。
【００７９】
このＲＳＲＰの演算は、１セル目の測定開始時点（パスサーチの開始前）に１度、１無線フレーム区間で行う。また、各サブフレーム内のＲＳシンボルの位置は、既知である１セル目のフレームタイミングを参照して認識する。
【００８０】
サブフレーム‘０’、‘５’は図５のＡに示すように、必ずダウンリンクサブフレーム（Unicast ）であるため、ＲＳシンボルに対して正しいＲＳＲＰ演算値として４個のＲＳＲＰ演算値（≒Ａ）が各サブフレームで得られる。
【００８１】
サブフレーム‘１’は、必ずスペシャルサブフレームである。このため、正しいＲＳＲＰ演算結果はスペシャルサブフレームのタイプにより異なるが、サブフレーム‘１’では１〜４個の演算結果が得ることが考えられる。図５に示すサブフレーム‘１’では、正しい演算結果として３個のＲＳＲＰ演算値（≒Ａ）が得られている。４個目の演算結果は、ＲＳシンボルがマッピングされていないシンボルに対するＲＳＲＰ演算結果である。つまり、４個目の演算結果では微小値であり、正しい演算結果（≒Ａ）に比較して極めて小さい値（ＲＳＲＰ＝ａ≪Ａ）が得られる。
【００８２】
サブフレーム‘２’、‘３’、‘７’、‘８’では、アップリンクサブフレームである。このため、各サブフレームで得た４個のＲＳＲＰ演算結果は、ＲＳシンボルがマッピングされていないシンボルに対するＲＳＲＰ演算結果と同様に微小値となる。すなわち、正しい演算結果（≒Ａ）に比較して極めて小さい値（ＲＳＲＰ＝ａ≪Ａ）となる。
【００８３】
サブフレーム‘４’は、ダウンリンクサブフレーム（Unicast ）である。このため、サブフレーム‘４’ではＲＳシンボルに対して正しいＲＳＲＰ演算結果が得られ、４個のＲＳＲＰ演算結果が得られる。
【００８４】
サブフレーム‘６’は、スペシャルサブフレームである。このため、正しいＲＳＲＰ演算結果はスペシャルサブフレームのタイプにより異なり、１〜４個の正しいＲＳＲＰ演算結果が得られる。図５に示す例では、サブフレーム‘１’と同様に３個の正しい演算結果が得られている。
【００８５】
サブフレーム‘９’は、ダウンリンクサブフレーム（MBSFN ）である。このため、サブフレーム内の先頭にあるＲＳシンボルにより、このＲＳシンボルに対して１個の正しいＲＳＲＰ演算結果が得られている。
【００８６】
＜サブフレームのＲＳシンボル個数の判定（フレーム判定閾値テーブル生成例）＞
【００８７】
サブフレームのＲＳシンボル個数の判定にはフレーム判定閾値テーブルが用いられ、このフレーム判定閾値テーブルを生成させる。このフレーム判定閾値テーブルの生成には、ダウンリンクサブフレームであるサブフレーム‘０’、‘５’のＲＳＲＰ演算結果（この場合、８個の演算結果）より、平均値（現在受信中のフレームに対するＲＳシンボル１個に対するＲＳＲＰ値）を算出する。この平均値を基準値Ｂとしてフレーム判定閾値テーブル３６−１（図６）を生成する。
【００８８】
このフレーム判定閾値テーブル３６−１は、図６に示すように、フレーム判定閾値５２、判定結果５４を備える。判定結果５４はＲＳ個数判定結果５６とサブフレームタイプ５８とを備えている。
【００８９】
フレーム判定閾値テーブル３６−１において、ＢはＲＳシンボル１個当たりのＲＳＲＰ（基準信号受信強度）の平均値である。この場合、このＲＳＲＰ値の平均値は、サブフレーム‘０’、‘５’に対する８個のＲＳＲＰ値の演算結果（≒Ａ）の合計値を演算結果数（＝８）で除算して求められ、ＲＳシンボルの１個当たりのＲＳＲＰ値である。
【００９０】
この測定処理では、測定開始時点の無線伝播環境に適したフレーム判定を行う。このため、現在受信しているサブフレーム‘０’、‘５’の演算結果を用いている。
【００９１】
Ｃは、各サブフレーム毎に得たＲＳＲＰ値の加算値（合計値）である。この場合、サブフレーム‘０’〜‘９’（＝１０個）でそれぞれ個別に算出して得られる１０個の値である。図５に示した例では、サブフレーム‘１’、‘６’では、Ｃ＝Ａ＋Ａ＋Ａ＋ａ、サブフレーム‘２’、‘３’、‘７’、‘８’では、Ｃ＝ａ＋ａ＋ａ＋ａ、また、サブフレーム‘９’では、Ｃ＝Ａ＋ａ＋ａ＋ａとなる。
【００９２】
フレーム判定閾値テーブル３６−１にはフレーム判定閾値５２が設けられ、このフレーム判定閾値５２は、既述のＢを基準値とし、各サブフレームにて得られた既述のＣに対してＲＳシンボルの個数を判定するための閾値である。このフレーム判定閾値テーブル３６−１の生成は、１セル目の測定処理の開始前に１無線フレーム区間を用いて行う。
【００９３】
各サブフレームから得られたＲＳＲＰ演算結果の加算値Ｃについて、図６に示すフレーム判定閾値テーブル３６−１を参照すれば、各サブフレーム内にマッピングされているＲＳシンボルの個数を判定することができる。図６に示すフレーム判定閾値テーブル３６−１内の閾値は一例であり、この限りではない。
【００９４】
アップリンクサブフレームの場合には、４個のＲＳＲＰ演算結果の加算値Ｃは、Ｂに比較して小さい値となるので、ＲＳシンボル数は０個と判断できる。
【００９５】
各サブフレームのＲＳシンボル数の判定結果を用いれば、現在受信中のフレームのUplink-downlink configurations No.、スペシャルサブフレーム内のＲＳシンボル数を判断することができる。さらに、サブフレーム‘０’、‘５’以外にダウンリンクサブフレームが存在すれば、ＲＳシンボル数判定結果を参照することにより、ダウンリンクサブフレームタイプを判定でき、つまり、Unicast かＭＢＳＦＮの何れかを判定できる。
【００９６】
なお、既述の例では、フレーム判定閾値テーブル３６−１を例示したが、このフレーム判定閾値テーブル３６−１は１種類に限定されるものではない。例えば、異なった複数のフレーム判定閾値の定義を持ち、受信中の無線データの受信状況に応じてフレーム判定閾値を使い分けてもよい。したがって、異なる閾値を持つ複数のフレーム判定閾値テーブルを予め設定した構成であってもよい。
【００９７】
＜Uplink-downlink configurations No.の判断＞
【００９８】
Uplink-downlink configurations No.の判断には、フレーム判定閾値テーブル３６−１により判定した各サブフレームのＲＳシンボルの個数を用いて行う。図７は、Uplink-downlink configurations No.判断の処理手順を示している。
【００９９】
この処理手順は、本開示の移動局装置の制御プログラムの一例である。この例では、先ず最初にＲＳ個数が０個のサブフレーム（アップリンク）数より絞込みを行う。
【０１００】
この処理手順では、手順Ｆ２１で次の処理を行う。まず、サブフレーム内のＲＳシンボルの個数が「０」と判定されたサブフレームの数により、Uplink-downlink configurations No.＝‘２’、‘４’以外の受信フレームであれば、Uplink-downlink configurations No.を特定する。
【０１０１】
更に、サブフレーム内の実際のＲＳシンボル個数が「０」と判定されたサブフレーム数が「２」の場合（Uplink-downlink configurations No.＝‘２’、‘４’）には、手順Ｆ２２にて、サブフレーム‘３’のＲＳシンボル個数を参照することにより、Uplink-downlink configurations No.＝２、４の特定が可能となる。
【０１０２】
手順Ｆ２３ではスペシャルサブフレーム内の実際のＲＳシンボルの個数を判断する。
【０１０３】
手順Ｆ２４では、手順Ｆ２１、Ｆ２２で確定したUplink-downlink configurations No.により、サブフレーム‘０’、‘５’以外のダウンリンクサブフレームについて、ＲＳシンボルの個数を参照する。つまり、ＲＳ個数＝１個（または、ＲＳ個数≠４個）の場合には、ＭＢＳＦＮサブフレームであると判断する。これにより、フレームパタン種別としてUnicast かＭＢＳＦＮかの判別を行う。
【０１０４】
これら手順Ｆ２１ないしＦ２２の具体的な処理について、図８に示すフローチャートを参照する。図８は、フレーム判定の処理手順の一例を示している。図８において、図７と同部部分には同一符号を付してある。
【０１０５】
この処理手順は本開示の移動局装置の制御プログラムの一例である。この処理手順では、ＲＳ数が０個と判定されたサブフレームの数が０、または、１〜６以外（想定外の値）である場合には、的確なUplink-downlink configurations No.情報が選択できないため、configurations No.０を選択している。
【０１０６】
フレーム判定を開始すると、サブフレーム‘０’〜‘９’のＲＳ数の判定結果（１０個の値）を取得する（Ｓ２０１）。サブフレーム‘０’〜‘９’のＲＳ数の判定結果について、サブフレーム‘２’、‘３’、‘４’、‘７’、‘８’、‘９’に対し、ＲＳ数＝０個のサブフレーム数をカウント（＝ＲＳ＿ＳｕｂＮｕｍ：０〜６）する（Ｓ２０２）。
【０１０７】
サブフレーム数のカウント値からフレームパタンを判定する。ＲＳ＿ＳｕｂＮｕｍ＝０であるかを判定し（Ｓ２０３）、ＲＳ＿ＳｕｂＮｕｍ＝０であれば（Ｓ２０３のＹＥＳ）、フレームパタンが確定する（Ｓ２０４）。この場合、configurations No.０のフレームパタンである。ＲＳ数の判定結果が想定外である場合は、異常と判断し、従来どおりに、フレームパタンをconfigurations No.０と判定する。
【０１０８】
ＲＳ＿ＳｕｂＮｕｍ＝０でなければ（Ｓ２０３のＮＯ）、ＲＳ＿ＳｕｂＮｕｍ＝１であるかを判定する（Ｓ２０５）。ＲＳ＿ＳｕｂＮｕｍ＝１であれば（Ｓ２０５のＹＥＳ）、フレームパタンが確定する（Ｓ２０６）。この場合、configurations No.５のフレームパタンである。
【０１０９】
ＲＳ＿ＳｕｂＮｕｍ＝１でなければ（Ｓ２０５のＮＯ）、ＲＳ＿ＳｕｂＮｕｍ＝３であるかを判定する（Ｓ２０７）。ＲＳ＿ＳｕｂＮｕｍ＝３であれば（Ｓ２０７のＹＥＳ）、フレームパタンが確定する（Ｓ２０８）。この場合、configurations No.３のフレームパタンである。
【０１１０】
ＲＳ＿ＳｕｂＮｕｍ＝３でなければ（Ｓ２０７のＮＯ）、ＲＳ＿ＳｕｂＮｕｍ＝４であるかを判定する（Ｓ２０９）。ＲＳ＿ＳｕｂＮｕｍ＝４であれば（Ｓ２０９のＹＥＳ）、フレームパタンが確定する（Ｓ２１０）。この場合、configurations No.１のフレームパタンである。
【０１１１】
ＲＳ＿ＳｕｂＮｕｍ＝４でなければ（Ｓ２０９のＮＯ）、ＲＳ＿ＳｕｂＮｕｍ＝５であるかを判定する（Ｓ２１１）。ＲＳ＿ＳｕｂＮｕｍ＝５であれば（Ｓ２１１のＹＥＳ）、フレームパタンが確定する（Ｓ２１２）。この場合、configurations No.６のフレームパタンである。
【０１１２】
ＲＳ＿ＳｕｂＮｕｍ＝５でなければ（Ｓ２１１のＮＯ）、ＲＳ＿ＳｕｂＮｕｍ＝６であるかを判定する（Ｓ２１３）。ＲＳ＿ＳｕｂＮｕｍ＝６であれば（Ｓ２１３のＹＥＳ）、フレームパタンが確定する（Ｓ２１４）。この場合、configurations No.０のフレームパタンである。
【０１１３】
ＲＳ＿ＳｕｂＮｕｍ＝６でなければ（Ｓ２１３のＮＯ）、ＲＳ＿ＳｕｂＮｕｍ＝２であるかを判定する（Ｓ２１５）。ＲＳ＿ＳｕｂＮｕｍ＝２でなければ（Ｓ２１５のＮＯ）、フレームパタンが確定する（Ｓ２１６）。この場合、configurations No.０のフレームパタンである。ＲＳ数の判定結果が想定外である場合は、異常と判断し、従来どおりに、フレームパタンをconfigurations No.０と判定する。
【０１１４】
ＲＳ＿ＳｕｂＮｕｍ＝２であれば（Ｓ２１５のＹＥＳ）、サブフレーム‘３’のＲＳシンボル数≠０であるかを判定する（Ｓ２１７）。サブフレーム‘３’のＲＳ数≠０でなければ（Ｓ２１７のＮＯ）、フレームパタンが確定する（Ｓ２１８）。この場合、configurations No.４のフレームパタンである。
【０１１５】
サブフレーム‘３’のＲＳ数≠０であれば（Ｓ２１７のＹＥＳ）、フレームパタンが確定し（Ｓ２１９）、この場合、configurations No.２のフレームパタンである。
【０１１６】
このように、フレームパタンが確定した後、サブフレーム‘１’のＲＳ数をスペシャルサブフレーム内のＲＳ数と判断する（Ｓ２２０）。つまり、手順Ｆ２１、Ｆ２２でフレームパタンは確定するので、フレームパタンが確定すればスペシャルサブフレームも確定する。ここでは、スペシャルサブフレーム内のＲＳ数を確定させる。
【０１１７】
そして、ダウンリンクサブフレームのタイプ判定をする（Ｓ２２１）。このステップＳ２２１では、手順Ｆ２１、Ｆ２２でフレームパタンが確定しているので、Ｄ（ダウンリンク）サブフレーム位置も確定する。また、サブフレーム‘０’、‘５’は通常Ｄ（ｕｎｉｃａｓｔ）であることは既知である。ここでは、サブフレーム‘０’、‘５’以外のＤサブフレームが、Unicast かＭＢＳＦＮかをＲＳ数を参照することで判定している。ダウンリンクサブフレームのタイプ判定により、フレーム判定を終了する。
【０１１８】
この処理手順において、手順Ｆ２１のConfigurations No.情報判定処理にテーブルを用いてもよい。この処理に用いられるテーブル構成例について、図９を参照する。図９はconfigurations No.情報判定処理に用いるテーブル構成例である。
【０１１９】
このフレームパタン判定テーブル６０−１には、ＲＳ数＝０個のサブフレーム数６２に対してフレームパタン判定情報６４が格納されている。このフレームパタン判定テーブル６０−１を用いれば、ＲＳ個数＝０個のサブフレーム数＝０ないし６に対し、フレームパタン判定結果としてConfigurations No.情報が得られる。
【０１２０】
この場合Uplink-downlink configurations No.情報の判定は、図８に示すように、フローチャート内の条件判定で実施してもよい。また、図９に示すように、予めフレームパタン判定テーブル６０−１を用意し、このフレームパタン判定テーブル６０−１を参照してサブフレーム数６２に対してフレームパタン判定情報６４を得てもよい。
【０１２１】
次に、手順Ｆ２４の処理について、図１０および図１１を参照する。図１０および図１１は、ダウンリンクサブフレーム判定処理の一例を示している。図１０および図１１において、Ａはフローチャート間の結合部分を示している。
【０１２２】
この処理手順で既述の処理手順（図８）で判定したフレームパタン（Uplink-downlink Configurations No.情報）からサブフレーム‘０’〜‘９’のサブフレームタイプの初期値を決定する。サブフレーム‘０’、‘５’以外のダウンリンクサブフレームに対し、該当サブフレームのＲＳ数判定結果を参照する。これにより、サブフレームタイプがUnicast または、ＭＢＳＦＮかの判定を行っている。このフレーム判定処理は、フレーム判定部１２４に搭載された既述のプロセッサ３６で実行される。
【０１２３】
この処理手順では図１０に示すように、サブフレームタイプの判定開始により、既述のＲＳ数判定部３２（図３）により各サブフレームのＲＳ数判定結果が得られる（Ｓ３０１）。
【０１２４】
このＲＳ数判定結果を用いて、Configurations No.情報の判定を行う（Ｓ３０２、Ｓ３０３、Ｓ３０４、Ｓ３０５、Ｓ３０６、Ｓ３０７、Ｓ３０８）。ステップＳ３０２ではConfigurations No.＝０であるか否かを判定する。Configurations No.＝０であれば（Ｓ３０２のＹＥＳ）、各サブフレームのタイプ情報の初期化を行う（Ｓ３０９）。
【０１２５】
Configurations No.＝０でなければ（Ｓ３０２のＮＯ）、Configurations No.＝１であるか否かを判定する（Ｓ３０３）。Configurations No.＝１であれば（Ｓ３０３のＹＥＳ）、各サブフレームのタイプ情報の初期化を行う（Ｓ３１０）。
【０１２６】
Configurations No.＝１でなければ（Ｓ３０３のＮＯ）、Configurations No.＝２であるか否かを判定する（Ｓ３０４）。Configurations No.＝２であれば（Ｓ３０４のＹＥＳ）、各サブフレームのタイプ情報の初期化を行う（Ｓ３１１）。
【０１２７】
Configurations No.＝２でなければ（Ｓ３０４のＮＯ）、Configurations No.＝３であるか否かを判定する（Ｓ３０５）。Configurations No.＝３であれば（Ｓ３０５のＹＥＳ）、各サブフレームのタイプ情報の初期化を行う（Ｓ３１２）。
【０１２８】
Configurations No.＝３でなければ（Ｓ３０５のＮＯ）、Configurations No.＝４であるか否かを判定する（Ｓ３０６）。Configurations No.＝４であれば（Ｓ３０６のＹＥＳ）、各サブフレームのタイプ情報の初期化を行う（Ｓ３１３）。
【０１２９】
Configurations No.＝４でなければ（Ｓ３０６のＮＯ）、Configurations No.＝５であるか否かを判定する（Ｓ３０７）。Configurations No.＝５であれば（Ｓ３０７のＹＥＳ）、各サブフレームのタイプ情報の初期化を行う（Ｓ３１４）。
【０１３０】
Configurations No.＝５でなければ（Ｓ３０７のＮＯ）、Configurations No.＝６であるか否かを判定する（Ｓ３０８）。Configurations No.＝６であれば（Ｓ３０８のＹＥＳ）、各サブフレームのタイプ情報の初期化を行う（Ｓ３１５）。
【０１３１】
これらステップＳ３０９−Ｓ３１５におけるサブフレームのタイプ情報はフレームパタン毎に持つ既知の情報である。
【０１３２】
このような処理の後、 Sub＿Type=D（未知）のサブフレームに対し、サブフレームタイプがUnicast かＭＢＳＦＮかの判定を行う（Ｓ３１６−Ｓ３２３）。
【０１３３】
この判定では、ｉ＝０から開始し（Ｓ３１６）、RS＿Num[i]=D（未知）であるかを判定する（Ｓ３１７）。RS＿Num[i]=D（未知）であれば（Ｓ３１７のＹＥＳ）、RS＿Num[i]=1であるかを判定する（Ｓ３１８）。
【０１３４】
RS＿Num[i]=1であれば（Ｓ３１８のＹＥＳ）、RS＿Num[i]=D（ＭＢＳＦＮ）に更新する（Ｓ３１９）。
【０１３５】
また、RS＿Num[i]=1でなければ（Ｓ３１８のＮＯ）、RS＿Num[i]=D（Unicast ）に更新する（Ｓ３２０）。
【０１３６】
そして、ｉ＝９であるかを判定する（Ｓ３２１）。ｉ＝９でなければ（Ｓ３２１のＮＯ）、ｉをインクリメントし（Ｓ３２２）、Ｓ３１７に戻る。このような処理を繰り返し全サブフレームに対して判定する（Ｓ３１７、Ｓ３１８、Ｓ３１９、Ｓ３２０）。
【０１３７】
ｉ＝９であれば（Ｓ３２１のＹＥＳ）、サブフレーム‘０’〜‘９’のサブフレームタイプが確定する（Ｓ３２３）。これにより、サブフレームタイプの判定を終了する。
【０１３８】
〔第２の実施の形態の特徴事項や効果〕
【０１３９】
(1)   ＴＤ−ＬＴＥ方式を用いた移動通信システムにおいて、ＳＩＢ情報（基地局装置からのシステム・インフォメーション・ブロック情報：Uplink-downlink configurations No.情報）が未受信でフレームマッピングが不明の状態において、受信フレームをサブフレーム種別を意識することなくＲＳシンボル位置のシンボルに対してＲＳＲＰ（Reference Signal Received Power ）を測定している。その測定結果よりフレーム判定閾値テーブルを生成する。受信中の各サブフレーム内に実際にマッピングされているＲＳシンボル数を判定している。
【０１４０】
(2) 上記(1) の結果を用いることにより、Uplink-downlink configurations No.情報を特定している。
【０１４１】
(3) ＳＩＢ情報（Uplink-downlink configurations No.情報）が未受信でフレームマッピングが不明の状態においてスペシャルサブフレーム内に実際にマッピングされているＲＳシンボル数を特定できる。
【０１４２】
(4) ＳＩＢ情報（Uplink-downlink configurations No.情報）が未受信でフレームマッピングが不明の状態において、サブフレーム‘０’、‘５’以外にマッピングされているダウンリンクサブフレームのタイプが、Unicast サブフレームなのか、ＭＢＳＦＮサブフレームかを特定する。
【０１４３】
(5) ＳＩＢ情報が未知であっても、受信中の無線フレームのUplink-downlink configurations No.情報、スペシャルサブフレーム内のＲＳシンボル数、ダウンリンクサブフレームのUnicast かＭＢＳＦＮかの種別を判定することができる。この判定結果を測定処理部２６の測定処理に利用するので、ＳＩＢ情報が既知である場合と同様に受信フレーム内のサブフレームパタンに応じて各サブフレーム内のＲＳシンボルを使用した測定処理が可能である。この結果、周辺セルの測定処理の時間を短縮化できる。
【０１４４】
(6) 処理時間の短縮化により、更に、消費電力の削減効果が期待できる。
【０１４５】
(7) 測定時間として与えられる処理時間が従来のままでよいと仮定した場合、ＳＩＢ情報が既知の状態と同等に測定区間内の全てのＲＳシンボルを測定処理に用いることが可能となるので、より精度の高い測定処理が可能である。
【０１４６】
(8) このため、既述の移動局装置およびその制御プログラムでは、ＳＩＢ情報が未受信のためにフレームマッピングが不明状態であっても、最適な周辺セルの受信品質の測定結果を得ることができる。
【０１４７】
〔第３の実施の形態〕
【０１４８】
この第３の実施の形態では、サブフレーム‘２’、‘３’、‘４’、‘７’、‘８’、‘９’のみを対象とし、ＲＳ個数が０個以外のサブフレーム（ダウンリンク）数より絞込みを行っている。この実施の形態においても、既述の移動局装置４（図３、図４）が用いられる。
【０１４９】
この処理手順について、図１２を参照する。図１２はUplink-downlink configurations No.情報判定の処理手順を示している。
【０１５０】
この処理手順では図１２に示すように、手順Ｆ４１でサブフレーム‘２’、‘３’、‘４’、‘７’、‘８’、‘９’を対象にサブフレーム内の実際のＲＳシンボル個数が０より大きいと判定されたサブフレームの数を判定する。これにより、Uplink-downlink configurations No.＝２、４以外の受信フレームであれば、Uplink-downlink configurations No.が特定できる。
【０１５１】
手順Ｆ４２、Ｆ４３、Ｆ４４は第２の実施の形態の手順Ｆ２２、Ｆ２３、Ｆ２４と同様であるので、その説明を割愛する。
【０１５２】
これら手順Ｆ４２、Ｆ４３、Ｆ４４の各処理について、図１３を参照する。図１３はUplink-downlink configurations No.判定の処理手順を示している。
【０１５３】
この処理手順は本開示の移動局装置の制御プログラムの一例である。フレーム判定を開始すると、サブフレーム‘０’〜‘９’のＲＳ数の判定結果を取得（１０個の値）する（Ｓ４０１）。サブフレーム‘０’〜‘９’のＲＳ数の判定結果について、サブフレーム‘２’、‘３’、‘４’、‘７’、‘８’、‘９’に対し、ＲＳ数＞０個のサブフレーム数をカウント（＝ＲＳ＿ＳｕｂＮｕｍ：０〜５）する（Ｓ４０２）。
【０１５４】
サブフレーム数をカウント値からフレームパタンを判定する。ＲＳ＿ＳｕｂＮｕｍ＝０であるかを判定し（Ｓ４０３）、ＲＳ＿ＳｕｂＮｕｍ＝０であれば（Ｓ４０３のＹＥＳ）、フレームパタンが確定する（Ｓ４０４）。この場合、configurations No.０のフレームパタンである。ＲＳ数の判定結果が想定外である場合は、異常と判断し、従来どおりに、フレームパタンをconfigurations No.０と判定する。
【０１５５】
ＲＳ＿ＳｕｂＮｕｍ＝０でなければ（Ｓ４０３のＮＯ）、ＲＳ＿ＳｕｂＮｕｍ＝１であるかを判定する（Ｓ４０５）。ＲＳ＿ＳｕｂＮｕｍ＝１であれば（Ｓ４０５のＹＥＳ）、フレームパタンが確定する（Ｓ４０６）。この場合、configurations No.６のフレームパタンである。
【０１５６】
ＲＳ＿ＳｕｂＮｕｍ＝１でなければ（Ｓ４０５のＮＯ）、ＲＳ＿ＳｕｂＮｕｍ＝２であるかを判定する（Ｓ４０７）。ＲＳ＿ＳｕｂＮｕｍ＝２であれば（Ｓ４０７のＹＥＳ）、フレームパタンが確定する（Ｓ４０８）。この場合、configurations No.１のフレームパタンである。
【０１５７】
ＲＳ＿ＳｕｂＮｕｍ＝２でなければ（Ｓ４０７のＮＯ）、ＲＳ＿ＳｕｂＮｕｍ＝３であるかを判定する（Ｓ４０９）。ＲＳ＿ＳｕｂＮｕｍ＝３であれば（Ｓ４０９のＹＥＳ）、フレームパタンが確定する（Ｓ４１０）。この場合、configurations No.３のフレームパタンである。
【０１５８】
ＲＳ＿ＳｕｂＮｕｍ＝３でなければ（Ｓ４０９のＮＯ）、ＲＳ＿ＳｕｂＮｕｍ＝５であるかを判定する（Ｓ４１１）。ＲＳ＿ＳｕｂＮｕｍ＝５であれば（Ｓ４１１のＹＥＳ）、フレームパタンが確定する（Ｓ４１２）。この場合、configurations No.５のフレームパタンである。
【０１５９】
ＲＳ＿ＳｕｂＮｕｍ＝５でなければ（Ｓ４１１のＮＯ）、ＲＳ＿ＳｕｂＮｕｍ＝４であるかを判定する（Ｓ４１３）。ＲＳ＿ＳｕｂＮｕｍ＝４でなければ（Ｓ４１３のＮＯ）、フレームパタンが確定する（Ｓ４１４）。この場合、configurations No.０のフレームパタンである。ＲＳ数の判定結果が想定外である場合は、異常と判断し、従来どおりに、フレームパタンをconfigurations No.０と判定する。
【０１６０】
ＲＳ＿ＳｕｂＮｕｍ＝４であれば（Ｓ４１３のＹＥＳ）、サブフレーム‘３’のＲＳ数≠０であるかを判定する（Ｓ４１５）。サブフレーム‘３’のＲＳ数≠０でなければ（Ｓ４１５のＮＯ）、フレームパタンが確定する（Ｓ４１６）。この場合、configurations No.４のフレームパタンである。
【０１６１】
サブフレーム‘３’のＲＳ数≠０であれば（Ｓ４１５のＹＥＳ）、フレームパタンが確定し（Ｓ４１７）、この場合、configurations No.２のフレームパタンである。
【０１６２】
このように、フレームパタンが確定した後、サブフレーム‘１’のＲＳ数をスペシャルサブフレーム内のＲＳ数と判断する（Ｓ４１８）。つまり、手順Ｆ４１、Ｆ４２でフレームパタンは確定するので、フレームパタンは確定すればスペシャルサブフレームも確定する。ここでは、スペシャルサブフレーム内のＲＳシンボル数を確定させる。
【０１６３】
そして、ダウンリンクサブフレームのタイプ判定をする（Ｓ４１９）。このステップＳ４１９では、手順Ｆ４１、Ｆ４２でフレームパタンが確定しているので、Ｄ（ダウンリンク）サブフレーム位置も確定する。
【０１６４】
この処理手順では、ＲＳ数が０個より大きいと判定されたサブフレームの数が１〜５以外（想定外の値）である場合には、的確なUplink-downlink configurations No.が選択できないため、configurations No.＝０を選択している。
【０１６５】
手順Ｆ４４のダウンリンクサブフレームのタイプ判定フローは第２の実施の形態と同様である。そして、ダウンリンクサブフレームのタイプ判定により、フレーム判定を終了する。
【０１６６】
この処理手順において、手順Ｆ４１のConfigurations No.情報判定処理にテーブルを用いてもよい。この処理に用いられるテーブル構成例について、図１４を参照する。図１４はConfigurations No.情報判定処理に用いるテーブル構成例である。
【０１６７】
このフレームパタン判定テーブル６０−２には、ＲＳ数＞０個のサブフレーム数６６に対してフレームパタン判定情報６８が格納されている。このフレームパタン判定テーブル６０−２を用いれば、サブフレーム数０ないし５に対し、フレームパタン判定結果としてConfigurations No.情報が得られる。
【０１６８】
この場合、Uplink-downlink configurations No.情報の判定は、図１２に示すように、フローチャート内の条件判定で実施してもよい。また、図１４に示すように、予めフレームパタン判定テーブル６０−２を用意し、このフレームパタン判定テーブル６０−２を参照してサブフレーム数に対してフレームパタン判定結果を得てもよい。
【０１６９】
上記のとおり、上記処理手順にて、現在受信中のフレームのUplink-downlink configurations No.、スペシャルサブフレーム内のＲＳシンボル数、ダウンリンクサブフレームの種別としてUnicast またはＭＢＳＦＮの種別を判定できる。この判定結果を測定処理へ反映すれば、ＳＩＢ情報が既知である状態と同等の処理時間にて測定処理が行われる。
【０１７０】
また、判定結果は、同周波数帯の周辺セルのUplink-downlink configurations No.は同じであるので、他の複数のセルの測定処理を実施する場合には、既述の測定結果を全セル共通に使用できる。
【０１７１】
この第３の実施の形態によっても、既述の第２の実施の形態と同様の特徴を有し、同様の効果を奏するものである。
【０１７２】
以上説明したように、移動局装置およびその制御プログラムの最も好ましい実施の形態等について説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【符号の説明】
【０１７３】
２  無線通信システム
４  移動局装置
６ａ、６ｂ  基地局装置
８  無線部
１０  測定部
１２  判定部
１４  アンテナ
１６  フロントエンド
１８  復調部
２０  ベースバンド部
２２  セルサーチ部
２４  フレーム判定部
２６  測定処理部
２８  ＲＳＲＰ測定部
３０  記憶部
３２  ＲＳ数判定部
３４  判定処理部
３６  判定閾値テーブル
３８  ＲＳ数判定結果
４０  タイミング検出部
４２  レベル測定部
４４  プロセッサ
４６  ＲＯＭ
４８  ＲＡＭ
５０  バス
３６−１  フレーム判定閾値テーブル
５２  フレーム判定閾値
５４  判定結果
５６  ＲＳ個数判定情報
５８  サブフレームタイプ
６０−１  フレームパタン判定テーブル
６２  ＲＳ数＝０個のサブフレーム数
６４  フレームパタン判定情報
６０−２  フレームパタン判定テーブル
６６  ＲＳ数＞０個のサブフレーム数
６８  フレームパタン判定情報
【図１】
2013038506.tif 000003
【図２】
2013038506.tif 000004
【図３】
2013038506.tif 000005
【図４】
2013038506.tif 000006
【図５】
2013038506.tif 000007
【図６】
2013038506.tif 000008
【図７】
2013038506.tif 000009
【図８】
2013038506.tif 000010
【図９】
2013038506.tif 000011
【図１０】
2013038506.tif 000012
【図１１】
2013038506.tif 000013
【図１２】
2013038506.tif 000014
【図１３】
2013038506.tif 000015
【図１４】
2013038506.tif 000016
【図１５】
2013038506.tif 000017
【図１６】
2013038506.tif 000018
【図１７】
2013038506.tif 000019
【図１８】
2013038506.tif 000020
【図１９】
2013038506.tif 000021